(57)【要約】【課題】壁面に固定する光電式煙検知器において、空気と共に内部に侵入した埃が、煙検知手段を配設した検知空間に堆積するのを防止する。【解決手段】本体部１１の背面板１２に対向する面には、その中央部に凹所を形成して、発光素子２１、受光素子２２を配設した検知空間１４を構成し、本体部１１の外周面には複数の孔部１３を設け、本体部１１の背面板１２に対向する面と、背面板１２との間に、孔部１３を検知空間１４に通じさせる空気流通空間１５を形成している。【選択図】図１
2010277139.tif 000002
【特許請求の範囲】
【請求項１】
発光素子と受光素子とを備えた本体部と、前記本体部に組み付けられ壁面に固定される背面板とからなり、前記本体部の前記背面板に対向する面には、その中央部に凹所を形成して、前記発光素子、前記受光素子を配設した検知空間を構成し、前記本体部の外周面には複数の孔部を設けると共に、前記本体部の前記背面板に対向する面と前記背面板との間には、前記孔部を前記検知空間に通じさせる空気流通空間を形成した光電式煙検知器。
【請求項２】
請求項１において、
前記背面板には、埃を付着滞留させるための埃トラップを、前記検知空間に向けて突設させた光電式煙検知器。
【請求項３】
請求項２において、
前記埃トラップの基端周縁には、埃止め凹部を形成した光電式煙検知器。
【発明の詳細な説明】
【技術分野】
【０００１】
本発明は、光電式煙検知器の改良に関する。
【背景技術】
【０００２】
近時、例えば次の特許文献１にあるような壁面に設置して使用する煙検知器が開発、市販されている。
【０００３】
この特許文献１の検知器は、箱形の本体と、本体の一面から突出して設けられ且つ雰囲気中の煙濃度を測定する光電式センサを内部に収容した筒状のハウジングと、を有しており、さらに、ハウジングを覆うように本体の一面と間隔をあけて設けられた整流板を有した構造になっている。
【先行技術文献】
【特許文献】
【０００４】
【特許文献１】特開2008-152809号公報
【発明の開示】
【発明が解決しようとする課題】
【０００５】
しかしながら、上記特許文献１の構成では、検知器を長期間使用していると、光電センサを内蔵したハウジングが空中に突出しているため、そこに埃が堆積することになる。すると、ハウジングに目詰まり等が発生して、誤動作を生じたり、煙濃度の検出感度が落ちたりする等の虞がある。
【０００６】
そこで、本発明は、検知器内部に空気と共に侵入した埃が、煙検知手段を配設した検知空間に堆積するのを防止した光電式煙検知器を提供することを目的とする。
【課題を解決するための手段】
【０００７】
本発明による光電式煙検知器は、発光素子と受光素子とを備えた本体部と、前記本体部に組み付けられ壁面に固定される背面板とからなり、前記本体部の前記背面板に対向する面には、その中央部に凹所を形成して、前記発光素子、前記受光素子を配設した検知空間を構成し、前記本体部の外周面には複数の孔部を設けると共に、前記本体部の前記背面板に対向する面と前記背面板との間には、前記孔部を前記検知空間に通じさせる空気流通空間を形成している。
【０００８】
また、前記裏面材には、埃を付着滞留させるための埃トラップを、前記検知空間に向けて突設させてもよい。
【０００９】
さらに、前記埃トラップの基端周縁には、埃止め凹部を形成してもよい。
【発明の効果】
【００１０】
本発明による煙検知器では、煙検知器を壁面に設置したときには、本体部と背面板との間に形成された空気流通空間を上から見たときに、前方に退避した位置にあるため、埃が空気流通空間に流入してきても、検知空間には侵入、堆積することがない。従って、埃の侵入、堆積による検知器の誤動作、あるいは感度低下等が防止できる。
【００１１】
また、裏面材から検知空間に向けて、埃トラップを突設させた構成では、上方から空気流通空間に侵入した埃は、埃トラップに付着滞留するので、検知空間に侵入せず、検知器の誤動作、あるいは感度低下等が防止できる。
【００１２】
そして、埃トラップの基端周縁に、埃止め凹部を形成した構成では、その凹部によって埃を確実に止めることができるので、検知器の誤動作、あるいは感度低下等がより確実に防止できる。
【図面の簡単な説明】
【００１３】
【図１】は、本体部と背面板とに分解した状態を示した実施例の斜視図である。
【図２】は、実施例の外観を示した斜視図である。
【図３】は、実施例の概略縦切断図である。
【図４】は、実施例の基本構成を示したブロック図である。
【図５】は、変形例の概略縦切断図である。
【発明を実施するための形態】
【００１４】
実施例の光電式煙検知器は、図１、図２、図３に示しているように、発光素子２１と受光素子２２とを備えた本体部１１と、本体部１１に組み付けられ壁面に固定される背面板１２とで構成された縦置設置であり、検知器の表面と周囲壁が壁面から露見するように、背面板１２を壁面に固定して使用される。
【００１５】
そして、基本的な構成要素として、図４のブロック図に示しているように、煙粒子の検出手段を構成する発光素子２１、受光素子２２と、発光素子２１を作動させる発光素子駆動部２３と、装置全体を制御する制御部２４と、装置の作動状態を表示する表示ランプ２５と、警報停止操作等を受け付ける操作部２６と、スピーカ２７から警報音声を出力させる音声出力部２８とを備えている。
【００１６】
本体部１１には、これらの構成要素を実装した回路基板と、電源電池とが収容されており、表面には、操作部２６を構成する押し釦２６ａと、表示ランプ２５と、スピーカ２７のための通音孔２７ａとが設けられ、外周面には、空気孔として、複数の孔部１３が連設されている。
【００１７】
また、本体部１１の背面板１２に対向する面には、その中央部に凹所を形成して、発光素子２１、受光素子２２を配設した検知空間１４を構成している。なお、発光素子２１から照射された光は、直接的には受光素子２２に入光しない位置関係になっている。
【００１８】
そして、本体部１１に背面板１２を組み付けた状態では、本体部１１の背面板１２に対向する面と、背面板１２との間に、孔部１３を検知空間１４に通じさせる空気流通空間１５が形成されるようになっている。
【００１９】
この構成では、孔部１３と空気流通空間１５とを通じた空気の流通に伴って、火災等による煙粒子が検知空間１４に侵入してくると、これを発光素子２１、受光素子２２からなる検出手段によって検出する。より具体的には、検知領域において、発光素子２１から光を照射し、その光の煙粒子による反射光を受光素子２２で光電変換して、煙粒子の検知信号とする。
【００２０】
検知空間１４は、煙検知器を壁面に設置したときには、本体部１１と背面板１２との間に形成された空気流通空間１５を上から見たとき、すなわち重力が作用する方向から見たとき、前方に退避した位置にあるため、埃が空気流通空間１５に流入してきても、検知空間１４には侵入、堆積しない。従って、検知器の誤動作、あるいは感度低下等が防止できる。なお、検知空間１４は、空気流通空間１５によって遮光されている。しかしながら、より確実な遮光のためには、検知空間１４をラビリンス構造によって覆うようにしてもよい。
【００２１】
また、裏面版１２には、埃を付着滞留させるための埃トラップ１６を、検知空間１４に向けて突設させてもよい。この例の埃トラップ１６は、検知空間１４よりもやや小径の略円筒形状を有している。このような埃トラップ１６を設けておけば、上方から空気流通空間１５に侵入した埃は、埃トラップ１６に付着滞留するので、検知空間１４に侵入せず、検知器の誤動作、あるいは感度低下等が防止できる。
【００２２】
より改良した構造として、埃トラップ１６の基端周縁には、埃止め凹部１７を形成してもよい。このようにすれば、埃止め凹部１７によって埃を確実に止めることができるので、検知器の誤動作、あるいは感度低下等がより確実に防止できる。また、埃トラップ１６の表面に埃を吸着する吸着材を設けておいても、同様の効果を得ることができる。
【００２３】
次いで、実施例の基本動作を説明する。制御部２４は、発光素子２１および受光素子２２を作動させる監視モードと、それらを停止させる待機モードとを所定の周期で繰り返し実行する。例えば、監視モードは１秒間、待機モードは１１９秒間という設定でもよい。
【００２４】
監視モードでは、発光素子２１を所定回数点灯させ、そのときに受光素子２２が出力する検知信号のレベルを閾値と比較する。そして、検知信号のレベルが閾値を越えた回数等に基づいて火災が発生したか否かを判断し、火災発生と判断した場合には、音声出力部２８を作動させて、火災警報を鳴動開始させ、さらに、表示ランプ２５を点灯状態にする。火災警報の鳴動、表示ランプ２５の点灯状態は、操作部２６で警報停止操作がなされるまで継続させる。
【００２５】
一方、火災発生と判断しなかった場合は、待機モードに移行して、所定時間待機することで消費電力を抑える。このような用途向けのマイコンには、回路の大部分を停止させて省電力となるスタンバイ機能が用意されている。待機モード中は、制御部２４を構成するマイコンをスタンバイ状態にするとよい。このスタンバイ状態は、通常、タイマ割り込み等によって解除できる。
【００２６】
図６の例は、空気流通空間１５の変形例であって、空気流通空間１５は、検知空間１４に連結する部分を底とした凹面形状になっている。このように、本発明は、空気流通空間１５の形状に、特に制約はない。
【符号の説明】
【００２７】
１１  本体部
１２  背面板
１３  孔部
１４  検知空間
１５  空気流通空間
１６  埃トラップ
１７  埃止め凹部
２１  発光素子
２２  受光素子
【図１】
2010277139.tif 000003
【図２】
2010277139.tif 000004
【図３】
2010277139.tif 000005
【図４】
2010277139.tif 000006
【図５】
2010277139.tif 000007